(57)【要約】【課題】形成するドット径が均一となるヘッドであっても、文字としての形状を確保して、記録文字の画質向上を図る。【解決手段】画像データに対して画像処理を施すためのコンピュータで実行されるプログラムである。このプログラムは、コンピュータに、画像データから文字部データを識別する識別処理と、識別処理により識別された文字部データから一方向に連続する記録画素列を検出し、当該検出された複数の記録画素列のそれぞれの一端部のみ、少なくとも１画素分のドットが削除されるように文字部データを再構築する再構築処理とを実行させる。【選択図】図３
2008305153.tif 000002
【特許請求の範囲】
【請求項１】
画像データに対して画像処理を施すためのコンピュータで実行されるプログラムにおいて、
前記コンピュータに、
前記画像データから文字部データ若しくは線データを識別する識別処理と、
前記識別処理により識別された文字部データ若しくは線データから一方向に連続する記録画素列を検出し、当該検出した複数の記録画素列のそれぞれの一端部のみ、少なくとも１画素分のドットが削除されるように文字部データ若しくは線データを再構築する再構築処理とを実行させることを特徴とするプログラム。
【請求項２】
請求項１記載のプログラムにおいて、
前記再構築処理では、前記文字部データから一方向と、当該一方向に対する直交方向とのそれぞれの記録画素列を検出し、当該検出した複数の記録画素列のそれぞれの一端部のみ、少なくとも１画素分のドットが削除されるように文字部データを再構築することを特徴とするプログラム。
【請求項３】
請求項１又は２記載のプログラムにおいて、
前記再構築処理でドットが削除される前記記録画素列の一端部は、同一方向に連続する複数の記録画素列で同一の端部に設定されていることを特徴とするプログラム。
【請求項４】
請求項１〜３のいずれか一項に記載のプログラムにおいて、
前記再構築処理では、前記記録画素列の連続する画素数が所定値以上であるかを判別して、前記所定値未満の前記記録画素列に対してはドットの削除を実行せず、前記所定値以上の前記記録画素列に対してはドットの削除を実行することを特徴とするプログラム。
【請求項５】
請求項４記載のプログラムにおいて、
前記コンピュータに、
前記再構築処理以前に、前記所定値を設定するための再設定処理を実行させることを特徴とするプログラム。
【請求項６】
請求項５記載のプログラムにおいて、
前記再設定処理では、前記画像データの解像度に基づいて、前記所定値の再設定を実行することを特徴とするプログラム。
【請求項７】
請求項１〜６のいずれか一項に記載のプログラムにおいて、
前記再構築処理以前に、前記記録画素列から削除される画素数を設定するための削除画素設定処理を実行することを特徴とするプログラム。
【請求項８】
請求項７記載のプログラムにおいて、
前記削除画素設定処理では、前記画像データの解像度に基づいて、前記削除される画素数の設定を実行することを特徴とするプログラム。
【請求項９】
画像データが入力される入力部と、
前記入力部に入力された前記画像データから文字部データ若しくは線データを識別し、当該識別した文字部データ若しくは線データから一方向に連続する記録画素列を検出し、当該検出した複数の記録画素列のそれぞれの一端部のみ、少なくとも１画素分のドットが削除されるように文字部データ若しくは線データを再構築する制御部と、
前記制御部により再構築された文字部データ若しくは線データを出力する出力部とを備えることを特徴とする画像処理装置。
【請求項１０】
画像データを生成する画像生成部と、前記画像生成部により生成された画像データに対して画像処理を施す画像処理部と、前記画像処理部により画像処理された画像データを基に画像を出力する画像出力部とを備える画像処理システムにおいて、
前記画像処理部は、
前記画像データから文字部データ若しくは線データを識別し、当該識別した文字部データ若しくは線データから一方向に連続する記録画素列を検出し、当該検出した複数の記録画素列のそれぞれの一端部のみ、少なくとも１画素分のドットが削除されるように文字部データ若しくは線データを再構築することを特徴とする画像処理システム。
【発明の詳細な説明】
【技術分野】
【０００１】
本発明は、プログラム、画像処理装置及び画像処理システムに係り、特にインク若しくはトナーにより画像を記録するためのプログラム、画像処理装置及び画像処理システムに関する。
【背景技術】
【０００２】
一般にデジタル画像を扱う電子写真方式や、インクジェット記録方式の記録装置では、スジムラを低減するために、理論画素よりも大きなドット（インク若しくはトナーによるドット）が用紙上に形成されるように設定されている。しかしながら、細かな文字などを形成する場合、理論画素よりも用紙上のドットが大きいために、文字がつぶれてしまうことになっていた。具体的には、図９に示すように通常の文字形成であると文字を形成する線が太くなり、他方、図１０に示すように白抜き文字形成であると文字を形成する線が細くなり、何れの場合においても記録文字の画質が低下してしまう。
【０００３】
近年においては、文字を形成する線がつぶれてしまうことを防止するために、文字部分の両端部のドットを他の部分のドットよりも小さく形成する技術（例えば特許文献１参照）や、文字部分の両端部のドットを削除する技術（例えば特許文献２参照）などが開発されている。
【特許文献１】特開２００４−３０６３９２号公報
【特許文献２】特開平６−２５３１３２号公報
【発明の開示】
【発明が解決しようとする課題】
【０００４】
しかしながら、上述の特許文献１記載の技術であると、均一な径のドットしか形成できない記録装置に対して適用することは現実的ではなく、特許文献２記載の技術であると、両端部のドットが削除されるために文字としての形状を確保できないおそれもある。
【０００５】
そこで、本発明の課題は、形成するドット径が均一となるヘッドであっても、文字としての形状を確保して、記録文字の画質向上を図ることである。
【課題を解決するための手段】
【０００６】
請求項１記載の発明は、
画像データに対して画像処理を施すためのコンピュータで実行されるプログラムにおいて、
前記コンピュータに、
前記画像データから文字部データ若しくは線データを識別する識別処理と、
前記識別処理により識別された文字部データ若しくは線データから一方向に連続する記録画素列を検出し、当該検出した複数の記録画素列のそれぞれの一端部のみ、少なくとも１画素分のドットが削除されるように文字部データ若しくは線データを再構築する再構築処理とを実行させることを特徴としている。
【０００７】
請求項２記載の発明は、請求項１記載のプログラムにおいて、
前記再構築処理では、前記文字部データから一方向と、当該一方向に対する直交方向とのそれぞれの記録画素列を検出し、当該検出された複数の記録画素列のそれぞれの一端部のみ、少なくとも１画素分のドットが削除されるように文字部データを再構築することを特徴としている。
【０００８】
請求項３記載の発明は、請求項１又は２記載のプログラムにおいて、
前記再構築処理でドットが削除される前記記録画素列の一端部は、同一方向に連続する複数の記録画素列で同一の端部に設定されていることを特徴としている。
【０００９】
請求項４記載の発明は、請求項１〜３のいずれか一項に記載のプログラムにおいて、
前記再構築処理では、前記記録画素列の連続する画素数が所定値以上であるかを判別して、前記所定値未満の前記記録画素列に対してはドットの削除を実行せず、前記所定値以上の前記記録画素列に対してはドットの削除を実行することを特徴としている。
【００１０】
請求項５記載の発明は、請求項４記載のプログラムにおいて、
前記コンピュータに、
前記再構築処理以前に、前記所定値を設定するための再設定処理を実行させることを特徴としている。
【００１１】
請求項６記載の発明は、請求項５記載のプログラムにおいて、
前記再設定処理では、前記画像データの解像度に基づいて、前記所定値の再設定を実行することを特徴としている。
【００１２】
請求項７記載の発明は、請求項１〜６のいずれか一項に記載のプログラムにおいて、
前記再構築処理以前に、前記記録画素列から削除される画素数を設定するための削除画素設定処理を実行することを特徴としている。
【００１３】
請求項８記載の発明は、請求項７記載のプログラムにおいて、
前記削除画素設定処理では、前記画像データの解像度に基づいて、前記削除される画素数の設定を実行することを特徴としている。
【００１４】
請求項９記載の発明に係る画像処理装置は、
画像データが入力される入力部と、
前記入力部に入力された前記画像データから文字部データ若しくは線データを識別し、当該識別した文字部データ若しくは線データから一方向に連続する記録画素列を検出し、当該検出した複数の記録画素列のそれぞれの一端部のみ、少なくとも１画素分のドットが削除されるように文字部データ若しくは線データを再構築する制御部と、
前記制御部により再構築された文字部データ若しくは線データを出力する出力部とを備えることを特徴としている。
【００１５】
請求項１０記載の発明は、
画像データを生成する画像生成部と、前記画像生成部により生成された画像データに対して画像処理を施す画像処理部と、前記画像処理部により画像処理された画像データを基に画像を出力する画像出力部とを備える画像処理システムにおいて、
前記画像処理部は、
前記画像データから文字部データ若しくは線データを識別し、当該識別した文字部データ若しくは線データから一方向に連続する記録画素列を検出し、当該検出した複数の記録画素列のそれぞれの一端部のみ、少なくとも１画素分のドットが削除されるように文字部データ若しくは線データを再構築することを特徴としている。
【発明の効果】
【００１６】
本発明によれば、一方向に連続する複数の記録画素列のそれぞれの一端部のみ、少なくとも１画素分のドットが削除されるので、両端部の画素を削除する場合と比しても、文字や線としての形状が維持されやすくなる。さらに、形成するドット径が均一となるヘッドであってもドットを削除することは実現可能である。したがって、前述のヘッドで文字の線がつぶれてしまうのを防止しつつも、記録文字や線の画質を向上させることが可能となる。
【発明を実施するための最良の形態】
【００１７】
以下、本実施形態における画像処理装置について図を参照して説明する。図１は画像処理装置の主制御構成を示すブロック図である。この図１に示すように、画像処理装置１は、画像データを生成する例えばＰＣ等の画像生成装置２と、画像データを基に画像を出力する例えばプリンタ等の画像出力装置３とに電気的に接続されている。そして、画像処理装置１には、画像生成装置２から画像データが入力される入力部１１と、入力部１１に入力された画像データを記憶する記憶部１２と、記憶部１２内の画像データから文字部データを識別し、識別された文字部データを再構築する制御部１５と、制御部１５により再構築された文字部データを画像出力装置に出力する出力部１４とが備えられている。
【００１８】
制御部１５は、ＣＰＵ１６、ＲＯＭ１７、ＲＡＭ１８からなり、ＲＯＭ１７に記録された処理プログラムをＲＡＭ１８に展開してＣＰＵ１６によりこの処理プログラムを実行することで、画像データに対して画像処理を施すようになっている。
具体的に説明すると、制御部１５は、画像生成装置２から入力された画像データがベクタ形式であると、当該画像データ中のフォントデータを文字部データとして識別するようになっている。そして、制御部１５は、ベクタ形式の画像データをビットマップ形式に展開する。この展開時において、制御部１５は、先に識別した文字部データから一方向と、当該一方向に対する直交方向とのそれぞれに連続する記録画素列を検出し、当該検出した複数の記録画素列のそれぞれの一端部のみ、少なくとも１画素分のドットが削除されるように文字部データを再構築する。なお、記録画素列の検出後においては、制御部１５は、各記録画素列の連続する画素数が所定値以上であるかを判別して、所定値未満の記録画素列に対してはドットの削除を実行せず、所定値以上の記録画素列に対してはドットの削除を実行するようになっている。
【００１９】
以下、文字部データの再構築処理について具体的に説明する。図２は、例えば「ａ」、「ｂ」、「ｃ」に対してドットの削除を適用した一例を示す説明図である。なお、この図２において、再構築処理以前の文字部データによる文字は、黒部分とグレー部分とを合わせた部分であり、黒部分は削除されるドット、グレー部分は再構築処理後に残るドットである。
【００２０】
まず、制御部１５は、「ａ」、「ｂ」、「ｃ」の文字部データから、Ｘ方向（シリアル式インクジェットプリンタではヘッドが走査する主走査方向）に連続する記録画素列を検出する。これにより、「ａ」に対しては、記録画素列ｘａ１，ｘａ２，ｘａ３，…，ｘａｎが検出され、「ｂ」に対しては、記録画素列ｘｂ１，ｘｂ２，ｘｂ３，…，ｘｂｎが検出され、「ｃ」に対しては、記録画素列ｘｃ１，ｘｃ２，ｘｃ３，…，ｘｃｎが検出される。
Ｘ方向の記録画素列の検出後、制御部１５は、各記録画素列におけるＸ方向の最上流画素（例えば記録画素列ｘａ１の場合では画素ａｘ１）を抽出する。
【００２１】
その後、制御部１５は、「ａ」、「ｂ」、「ｃ」の文字部データからＸ方向に対して直交するＹ方向（シリアル式インクジェットプリンタでは用紙が搬送される副走査方向）に連続する記録画素列を検出する。これにより「ａ」に対しては、記録画素列ｙａ１，ｙａ２，ｙａ３，…，ｙａｎが検出され、「ｂ」に対しては、記録画素列ｙｂ１，ｙｂ２，ｙｂ３，…，ｙｂｎが検出され、「ｃ」に対しては、記録画素列ｙｃ１，ｙｃ２，ｙｃ３，…，ｙｃｎが検出される。
Ｙ方向の記録画素列の検出後、制御部１５は、各記録画素列におけるＹ方向の最上流画素（例えば記録画素列ｙａ１の場合では画素ａｙ１）を抽出する。
【００２２】
Ｘ方向、Ｙ方向の全ての記録画素列の最上流画素の抽出が完了すると、制御部１５は、各最上流画素を基準に連続するＸ方向、Ｙ方向それぞれの記録画素列の画素数が所定値（本実施形態では３画素）以上であるかを判別する。何れか一方向の記録画素列が所定値未満と判別された場合には最上流画素の削除を実行しないことを決定し、両方向の記録画素列が所定値以上と判別された場合には最上流画素の削除を実行することを決定する。例えば、最上流画素ｂｘ１では、そこを基準に連続するＸ方向の記録画素列ｘｂ１の画素数が１で所定値未満であり、Ｙ方向の記録画素列ｙｂ９の画素数が４１で所定値以上であるので最上流画素ｂｘ１の削除を実行しないものとする。また、最上流画素ｂｘ２では、そこを基準に連続するＸ方向の記録画素列ｘｂ２の画素数が４で所定値以上であり、Ｙ方向の記録画素列ｙｂ６の画素数が４４で所定値以上であるので最上流画素ｂｘ２の削除を実行するものとする。さらに、最上流画素ｂｘ３では、そこを基準に連続するＸ方向の記録画素列ｘｂ３の画素数が７で所定値以上であり、Ｙ方向の記録画素列ｙｂ２の画素数が２で所定値未満であるので最上流画素ｂｘ３の削除を実行しないものとする。
【００２３】
全ての最上流画素に対して削除実行の有無を決定すると、制御部１５は、削除を実行すると決定した最上流画素のドットが削除されるように文字部データを再構築する。これにより、記録画素列のそれぞれの一端部から１画素分のドットが削除されることになる。
【００２４】
画像出力装置３は、画像処理装置１で再構築された文字部データに基づく画像データにより用紙上に画像を出力する。ここで、画像出力装置３は用紙上の各ドットの直径が、画像データにおける理論画素の直径の２倍以上となるように画像を出力している。
【００２５】
次に本実施形態の作用について図３に示すフローチャートを参照にして説明する。
まず、画像生成装置２から画像処理装置１の入力部１１に画像データが入力されると（ステップＳ１）、制御部１５は、ＲＯＭ１７中のプログラムを実行し、記憶部１２内にあるベクタ形式の画像データ中のフォントデータを文字部データとして識別する（ステップＳ２）。
【００２６】
そして、制御部１５は、所定値を設定するための再設定処理を実行する。再設定処理では、例えば、画像データの解像度が７２０ｄｐｉである場合には所定値を３、１４４０ｄｐｉである場合には所定値を６という具合に、画像データの解像度に基づいて、所定値の再設定を実行する（ステップＳ３）。
【００２７】
その後、制御部１５は、識別した文字部データを基に、Ｘ方向の記録画素列を検出し（ステップＳ４）、各記録画素列におけるＸ方向の最上流画素を抽出する（ステップＳ５）。
【００２８】
そして、制御部１５は、識別した文字部データを基に、Ｙ方向の記録画素列を検出し（ステップＳ６）、各記録画素列におけるＹ方向の最上流画素を抽出させる（ステップＳ７）。
【００２９】
Ｘ方向、Ｙ方向の最上流画素の抽出が完了すると、制御部１５は、抽出した最上流画素群のうち、一番目の最上流画素を選択する（ステップＳ８）。
【００３０】
その後、制御部１５は、選択した最上流画素を基準に連続するＸ方向の記録画素列の画素数が所定値以上であるか否かを判断し（ステップＳ９）、所定値以上である場合（ステップＳ９；ＹＥＳ）にはステップＳ１０に移行し、所定値未満である場合（ステップＳ９；ＮＯ）にはステップＳ１１に移行する。
【００３１】
ステップＳ１０では、制御部１５は、選択した最上流画素を基準に連続するＹ方向の記録画素列の画素数が所定値以上であるか否かを判断し、所定値以上である場合（ステップＳ１０；ＹＥＳ）にはステップＳ１２に移行し、所定値未満である場合（ステップＳ１０；ＮＯ）にはステップＳ１１に移行する。
【００３２】
ステップＳ１１では、制御部１５は、選択した最上流画素の削除を実行しない旨を決定し、ステップＳ１３に移行する。
【００３３】
ステップＳ１２では、制御部１５は、選択した最上流画素の削除を実行する旨を決定し、ステップＳ１３に移行する。
【００３４】
ステップＳ１３では、制御部１５は、現在選択している最上流画素が、最上流画素群のうち、最後の最上流画素か否かを判断し、最後の最上流画素でない場合（ステップＳ１３；ＮＯ）にはステップＳ１４に移行し、最後の最上流画素である場合（ステップＳ１３；ＹＥＳ）にはステップＳ１５に移行する。
【００３５】
ステップＳ１４では、制御部１５は、次の最上流画素を選択して、ステップＳ９に移行する。
【００３６】
ステップＳ１５では、制御部１５は、削除を実行する最上流画素が削除されるように文字部データを再構築する。
【００３７】
ステップＳ１６では、制御部１５は、再構築された文字部データを画像データに合成し、当該画像データをビットマップ形式に展開する。
【００３８】
ステップＳ１７では、制御部１５は、出力部１４を制御して、ビットマップ形式の画像データを画像出力装置３に出力させる。
【００３９】
これにより、画像出力装置３では、再構築後の画像データに基づいた画像が用紙上に出力されることになる。
以下、上記の処理を例えば「響」という文字（一般文字、白抜き文字）に施してみた場合を例示する。図中において黒部分が色づけされる領域である。図４（ａ）は、再構築前の文字部データに基づく理論画素文字（一般文字Ｍ１、白抜き文字Ｗ１）であり、図４（ｂ）は再構築後の文字部データに基づく理論画素文字（一般文字Ｍ２、白抜き文字Ｗ２）である。この図４に示すように再構築後の文字部データに基づく理論画素文字は、一般文字Ｍ２、白抜き文字Ｗ２の何れにおいても、色づけされる領域が狭まっていることが分かる。さらに、再構築後の文字部データが合成された画像データに基づいて、画像出力装置３に画像を出力させた結果が図５及び図６である。図５の一般文字、図６の白抜き文字の両者ともに、従来の図９の一般文字、図１０の白抜き文字と比較しても、文字としての形状が維持されていることが分かる。
【００４０】
以上のように、本実施形態によれば、一方向に連続する複数の記録画素列のそれぞれの一端部のみ、少なくとも１画素分が削除されるので、両端部の画素を削除する場合と比しても、文字としての形状が維持されやすくなる。さらに、形成するドット径が均一となるヘッドであってもドットを削除することは実現可能である。したがって、前述のヘッドで文字の線がつぶれてしまうのを防止しつつも、記録文字の画質を向上させることが可能となる。
【００４１】
また、文字部データからＸ方向と、Ｙ方向とのそれぞれの記録画素列を検出し、当該検出した複数の記録画素列のそれぞれの一端部のみ、少なくとも１画素分のドットが削除されるように文字部データが再構築されているので、記録文字をＸ方向、Ｙ方向の両方向から均一に細くすることが可能となる。
さらに、ドットが削除される記録画素列の一端部が、同一方向に連続する複数の記録画素列で同一の端部に設定されているので、記録文字のエッジをスムーズにすることができる。
【００４２】
そして、記録画素列の連続する画素数が所定値以上であるかを判別して、所定値未満の記録画素列に対してはドットの削除が実行されないので、例えば文字の払いの部分等、少ないドットで表現する領域は削除されず、忠実に文字を表現することが可能となる。
【００４３】
さらに、再構築処理以前に、所定値を設定するための再設定処理が実行されているので、画像出力毎に最適な値を設定することが可能となる。特に、画像データの解像度に基づいて所定値の再設定が実行されているので、画像データの解像度に適した所定値が設定されることになる。
【００４４】
なお、本発明は上記実施形態に限らず適宜変更可能であるのは勿論である。
例えば、本実施形態では、各記録画素列の連続する画素数を判別する所定値が３である場合を例示したが、画像出力装置３が用紙上に形成するドット径や文字のサイズ等を考慮し、最適な値であればこれ以外の値であっても構わない。
【００４５】
また、再構築処理以前に、記録画素列から削除される画素数を設定するための削除画素設定処理を実行させるようにしてもよく、これにより画像出力毎に最適な画素数を設定することも可能となる。なお、削除画素設定処理では、例えば、画像データの解像度が７２０ｄｐｉである場合には画素数を１、１４４０ｄｐｉである場合には画素数を２という具合に、画像データの解像度に基づいて、削除される画素数の設定を実行するようにしてもよい。これにより、画像データの解像度に適した画素数が設定されることになる。
【００４６】
また、本実施形態では、画像生成装置２から画像処理装置１にベクタ形式の画像データが入力される場合について説明したが、画像生成装置２から入力された画像データがビットマップ形式である場合には、制御部１５は画像データに対して周知のデジタル文字認識処理を施すことで、画像データ中の文字を認識し、フォントデータを生成し、このフォントデータを文字部データとして識別するようにしてもよい。
さらに、本実施形態では、文字部データに対してのみ、再構築処理を施す場合を例示したが、画像データ中の線データに対しても再構築処理を施すことも可能である。これにより、文字以外の細い線であっても、画質が高められることになる。
【００４７】
また、本実施形態では、画像処理装置１が画像データに対して画像処理を施す場合を例示して説明したが、上述の画像処理を画像生成装置若しくは画像出力装置の何れかで実行させてもよい。例えば、画像データを生成する画像生成装置と、画像生成装置により生成された画像データを基に画像を出力する画像出力装置とを備える画像処理システムの場合、画像生成装置及び前記画像出力装置の一方に、画像処理部を搭載させる。
具体的に、図７に示す画像処理システム１０Ａのように、画像出力装置３Ａに接続された画像生成装置２Ａに画像処理部２１ａが搭載される場合、画像処理部２１ａには、画像データから文字部データを識別し、当該識別した文字部データから一方向に連続する記録画素列を検出し、当該検出した複数の記録画素列のそれぞれの一端部のみ、少なくとも１画素分のドットが削除されるように文字部データを再構築する制御部２２ａが設けられる。
一方、図８に示す画像処理システム１０Ｂのように、画像生成装置２Ｂに接続された画像出力装置３Ｂに画像処理部３１ｂが搭載される場合、画像処理部３１ｂには、画像データから文字部データを識別し、当該識別した文字部データから一方向に連続する記録画素列を検出し、当該検出した複数の記録画素列のそれぞれの一端部のみ、少なくとも１画素分のドットが削除されるように文字部データを再構築する制御部３２ｂが設けられる。
【図面の簡単な説明】
【００４８】
【図１】本実施形態に係る画像処理装置の主制御構成を示すブロック図である。
【図２】図１の画像処理装置で実行される再構築処理を説明するための説明図である。
【図３】図１の画像処理装置で実行される処理を示すフローチャートである。
【図４】図３の処理を例えば「響」という文字（一般文字、白抜き文字）に施してみた場合を示す説明図であり、（ａ）は、再構築前の文字部データに基づく理論画素文字であり、（ｂ）は再構築後の文字部データに基づく理論画素文字である。
【図５】本実施形態に係る再構築後の文字部データが合成された画像データに基づいて、画像出力装置に一般文字を出力させた結果の一例を示す図である。
【図６】本実施形態に係る再構築後の文字部データが合成された画像データに基づいて、画像出力装置に白抜き文字を出力させた結果の一例を示す図である。
【図７】本発明に係る画像処理システムの一例を示すブロック図である。
【図８】本発明に係る画像処理システムの他の一例を示すブロック図である。
【図９】従来の画像データに基づく一般文字が画像出力装置により出力された結果の一例を示す図である。
【図１０】従来の画像データに基づく白抜き文字が画像出力装置により出力された結果の一例を示す図である。
【符号の説明】
【００４９】
１      画像処理装置
２      画像生成装置
３      画像出力装置
１１    入力部
１４    出力部
１５    制御部  
【図１】
2008305153.tif 000003
【図２】
2008305153.tif 000004
【図３】
2008305153.tif 000005
【図４】
2008305153.tif 000006
【図７】
2008305153.tif 000007
【図８】
2008305153.tif 000008
【図５】
2008305153.tif 000009
【図６】
2008305153.tif 000010
【図９】
2008305153.tif 000011
【図１０】
2008305153.tif 000012